(57)【特許請求の範囲】
【請求項１】
景品球の払出個数の異なる入賞球をそれぞれに振り分けて落下させる第１入賞球集合通路と第２入賞球集合通路を有してなる入賞球集合部において、第１入賞球通路の通路底部と該通路の下流側の出口通路部分に設けた隔壁を機構板に一体に有してなる樋部に、前記樋部の通路底部に合致する通路底部と前記樋部の隔壁の上流側の縁部に係合して前記通路底部を遮る隔壁を有する外面壁部とからなる樋部材を突き合わせ、前記樋部と樋部材の互いの通路底部を合体した第１入賞球集合通路と、前記樋部と樋部材の隔壁により囲まれた第２入賞球集合通路を形成したことを特徴とするパチンコ機の機構板に設けた入賞球集合部の構造。
【請求項２】
景品球の払出個数の異なる入賞球をそれぞれに振り分けて落下させる第１入賞球集合通路と第２入賞球集合通路を有してなる入賞球集合部において、第１入賞球通路の通路底部と該通路の下流側の出口通路部分に設けた隔壁を機構板に一体に有してなる樋部に、前記樋部の通路底部に合致する通路底部と前記樋部の隔壁の上流側の縁部に合致する隔壁を有する中間壁部とからなる中間樋部材を突き合わせ、前記樋部と中間樋部材の互いの通路底部を合体した第１入賞球集合通路を形成し、前記中間樋部材の裏面に、中間樋部材の中間壁部に沿った通路底部と出口通路となる部分で樋部の隔壁に沿って張り出す通路底部を有する外壁面部を有してなる外面樋部材を設けることによって第２入賞球集合通路を形成したことを特徴とするパチンコ機の機構板に設けた入賞球集合部の構造。
【発明の詳細な説明】
【０００１】
【産業上の利用分野】
本発明は、個数の異なる景品球を払い出す景品球払出装置を有し、この景品球払出装置を作動させる入賞球処理装置へ異なる種類の入賞球をそれぞれに振り分けて落下させる第１の入賞球集合通路と第２の入賞球集合通路とを有してなるパチンコ機の機構板に設けた入賞球集合部の構造に関するものである。
【０００２】
【従来の技術】
最近のパチンコ機には、所謂フィーバータイプのように遊技球が入賞し易い状態にして短時間のうちに大量の景品球が得られる変動入賞装置を有し、また、入賞球の種類によって景品球の払い出し個数を異ならせた景品球払出装置を有している。そして、この景品球払出装置は入賞球処理装置によって作動させている。
【０００３】
一方、機構板の下部に備える入賞球集合部は、入賞球の種類に従って振り分け集合させる第１の入賞球集合通路と第２の入賞球集合通路を有して形成され、これらの第１、第２の入賞球集合通路から種類の異なる入賞球を入賞球処理装置へそれぞれに落下させ、入賞球処理装置によって払い出し個数の異なる景品球を払い出すようにしている。
【０００４】
【発明が解決しようとする問題点】
上記のような入賞球集合部は、遊技盤と機構板の下方板状部との間の空間に第１入賞球集合通路が形成され、機構板の下方板状部の裏面に設けた樋部材により第２入賞球集合通路を形成しているが、第２入賞球集合通路は第１入賞球集合通路と同じ幅で同じ長さに形成設置されている。しかし、第２入賞球集合通路は、入賞率の比較的少ない始動入賞口に入った入賞球を受け入れ、第１入賞球集合通路には変動入賞装置に入った入賞球を受け入れるように設定した場合、始動入賞口に入賞し、大当り状態になったときに変動入賞装置が開いて変動入賞装置に多数の入賞球が入ると、第１入賞球集合通路には変動入賞装置から短時間に大量の入賞球が入る。このような大量の入賞球が第１入賞球集合通路に集中すると、第１入賞球集合通路のなかで大量の入賞球が重なり合って球詰まりを起こしたり、第１入賞球通路に収まりきれず変動入賞装置の口まで入賞球がきて、変動入賞装置が正常に動かなくなる原因となっている。しかし、入賞球集合部は、限られた狭い範囲の設置空間に形成設置することが要求されているので、大量の入賞球を受け入れる第１入賞球集合通路を広げる余地がないために、現状のような狭い空間でしか確保せざるを得ない等の問題点があった。
【０００５】
本発明は、上記の点に鑑みてなされたもので、その目的とするところは、入賞球集合部の定められた設置空間の範囲において、変動入賞装置から大量の入賞球を受ける第１入賞球集合通路を最大限に拡大確保してなるパチンコ機の機構板に設けた入賞球集合部の構造を提供するものである。
【０００６】
【問題を解決するための手段】
上記目的を達成するために、本発明におけるパチンコ機の機構板に設けた入賞球集合部の構造は、景品球の払出個数の異なる入賞球をそれぞれに振り分けて落下させる第１入賞球集合通路と第２入賞球集合通路を有してなる入賞球集合部において、第１入賞球通路の通路底部と該通路下流側の出口通路部分に設けた隔壁を機構板に一体に有してなる樋部に、前記樋部の通路底部に合致する通路底部と前記樋部の隔壁の上流側の縁部に係合して前記通路底部を遮る隔壁を有する外面壁部とからなる樋部材を突き合わせ、前記樋部と樋部材の互いの通路底部を合体した第１入賞球集合通路と、前記樋部と樋部材の隔壁により囲まれた第２入賞球集合通路を形成してなる。
【０００７】
前記樋部材は、隔壁の上流側の通路底部に傾斜段面部を設け、隔壁の近傍の上流側に樋部の側へ傾斜する棚板を設けるのが好ましい。
【０００８】
また、通路底部と下流側の出口通路部分に設けた隔壁を機構板に一体に有してなる樋部に、前記樋部の通路底部に合致する通路底部と前記樋部の隔壁の上流側の縁部に合致する隔壁を有する中間壁部とからなる中間樋部材を突き合わせ、前記樋部と中間樋部材の互いの通路底部を合体した第１入賞球集合通路を形成し、前記中間部材の裏面に、中間樋部材の中間壁部に沿った通路底部と出口通路となる部分で樋部の隔壁に沿って張り出す通路底部を有する外壁面部を有してなる外面樋部材を設けることによって第２入賞球集合通路を形成してなるのが好ましい。
【０００９】
更に、中間樋部材は傾斜棚板が設けられ、外面樋部材には外面壁部の内側の出口通路部分の通路底部を曲折するための曲折案内壁と段面部を設けるのが好ましい。
【００１０】
【作用】
請求項１の入賞球集合部は、機構板に一体に形成する樋部の通路底部と樋部材の通路底部とが合体して限られた設置空間をはみ出すことなく約２倍に拡大された第１入賞球集合通路を確保し、変動入賞装置から落下する大量の入賞球の受入れが可能となり、しかも、この第１入賞球集合通路はパチンコ球の直径の２倍以上の幅間隔を有するために、大量の入賞球が重なり合う比率が小さくなって球詰まりの発生率を減少する。また、機構板に一体に形成する樋部の下流側に設けた隔壁と樋部材の隔壁によって囲まれた第２入賞球集合通路も比較的入賞率の低い入賞球の十分な収容空間を確保する。
【００１１】
請求項２の入賞球集合部は、機構板に一体に形成する樋部の流路底部と中間樋部材の流路底部とが合体して限られた設置空間をはみ出すことなく２倍弱に拡大された第１入賞球集合通路を確保し、変動入賞装置から落下する大量の入賞球の受入れが可能となり、しかも、この第１入賞球集合通路はパチンコ球の直径より大幅に広がる幅間隔を有するために、大量の入賞球が重なり合う比率が小さくなって球詰まりの発生率を減少する。また、中間樋部材と外面樋部材によって囲まれた第２入賞球集合通路もパチンコ球の直径よりやや幅広に形成することにより入賞球の重なり合いによる球詰まりを生じる恐れが解消されることはもちろんのこと比較的入賞率の低い入賞球の十分な収容空間を確保する。
【００１２】
【実施例１】
実施例１について図面を参照して説明すると、図１はパチンコ機の正面図で、パチンコ機の側枠１の前面に前面枠２が開閉自在に装着され、この前面枠２の前面にガラス枠３と前面板４が開閉自在に装着され、その前面板４の前面に球受皿５が設けられている。前面枠２の下方には下部の球受皿６が形成され、その側部には打球操作ハンドル７がそれぞれ設けられている。９は前面枠２の裏面に取り外し自在に装着された遊技盤で、ガイドレ−ル１０によって囲まれた前面の中央に可変表示装置１１が設けられ、遊技盤９の下方部には可変表示装置１１をスタ−トさせる始動入賞口１２、可変表示装置１１の表示態様に応じて入賞球が入り易いように解放する変動入賞装置１３及び複数の通常入賞口１４が設けられている。
【００１３】
前記始動入賞口１２に入賞球が入ると、可変表示装置１１のセグメント表示部１５ａ〜１５ｃが作動を開始し、タイマ−で設定された一定時間後停止する。そして、このときのセグメント表示部１５ａ〜１５ｃの組み合わせが判定回路により遊技球が入り易い特賞状態を付与するように定められものか否かを判定し、その判定結果によって変動入賞装置１３の変化開成態様が定められる。
【００１４】
前記遊技盤９の裏面には、図３に示すような入賞球集合カバ−１６が取りつけられ、この入賞球集合カバ−１６は前記始動入賞口１２、通常入賞口１４、及び変動入賞装置１３に入賞した入賞球を振り分けて下方へ誘導する誘導通路１７ａ〜１７ｅが形成されている。
【００１５】
図２はパチンコ機の裏面構造を示すもので、パチンコ機の裏面には遊技盤９の裏面全体を覆うように機構板１８が装着され、この機構板１８の上方部には景品球タンク１９が配設され、景品球タンク１９の下方に複数条の球流路を有する景品球導出樋２０が形成され、その流下端には景品球払出装置２１が配設され、この景品球払出装置２１は、景品球導出樋２０の各流路ごとに接続する景品球の払出量の異なる景品球ケ−ス（図示せず）を備えている。この景品球払出装置２１の下方には、払い出された景品球を上部の球受皿５へ導く景品球排出樋２２が形成される。前記機構板１８の下部には入賞球集合カバ−１６の誘導通路１７ａ〜１７ｅから落下する入賞球を受け止めて集合させる入賞球集合部２３が配設されれている。
【００１６】
前記入賞球集合部２３は、図４〜図６に示すように、機構板１８の下部の板状部１８ａに一体に通路底部２４を有すると共に板状部１８ａと反対する面の下流側の出口通路となる一部箇所に隔壁２５を有する樋部２６を形成し、前記樋部２６の通路底部２４に合致する通路底部２７を有する外面壁部２８を有すると共に外面壁部２８に直交して隔壁２５の上流側縁部に係合し且つ通路底部２７を遮る隔壁２９を有してなる樋部材３０を形成し、この樋部材３０の解放面を前記樋部２６につき合わせてねじ止めにより組み立てられ、そして、樋部２６と樋部材３０の互いの通路底部２４、２７とが合体して上流側で拡大された第１の入賞球集合通路２３ａと、樋部２６の隔壁２５と樋部材３０の隔壁２９によって囲まれる第２の入賞球集合通路２３ｂとを形成する。また、前記樋部材３０には、隔壁２９の上流側の通路底部２７に傾斜段面部３１と、隔壁２９の近傍の上流側に樋部２６の側へ傾斜する棚板３２が設けられる。
【００１７】
前記入賞球集合カバ−１６は、変動入賞装置１３の真上に設けられた始動入賞口１２の誘導通路１７ａを第２の入賞球集合通路２３ｂに誘導接続する。そして変動入賞装置１３、通常入賞口１４の誘導通路１７ｂ〜１７ｅを第１の入賞球集合通路２３ａに誘導接続する。
【００１８】
第１及び第２の入賞球集合通路２３ａ、２３ｂはそれぞれの出口３３、３４から第１及び第２入賞球集合通路２３ａ、２３ｂの入賞球によって作動する入賞球処理装置３５へ振り分けられて落下する。そして、入賞球処理装置３５は景品球払出装置２１を作動させ、そして、入賞球の種類によって異なる個数の景品球が払い出される。
【００１９】
【実施例２】
図１０〜図１４は本発明の他の入賞球集合部を示し、図１０はパチンコ機の機構板に設けた他の入賞球集合部の斜視図、図１１はその分解斜視図、図１２は中間樋部材と外面樋部材の組み立て状態を内面側から示す斜視図で、入賞球集合部１２３は、機構板１１８の下部の板状部１１８ａに一体に通路底部１２４を有すると共に板状部１１８ａと反対する面の下流側の出口通路となる一部箇所に隔壁１２５を有する樋部１２６を形成し、前記樋部１２６の通路底部１２４に合致する通路底部１２７を有する中間壁部１２８の下流端側の端縁を直角に曲折して前記樋部１２６の隔壁１２５の上流側端縁に合致する隔壁１２９を有してなる中間樋部材１３０を形成し、この中間樋部材１３０を前記樋部１２６に互いの解放面をつき合わせて、樋部１２６と中間樋部材１３０の互いの通路底部１２４と１２７とが合体して上流側で拡大された第１の入賞球集合通路１２３ａが形成される。次に、外面壁部１３６に一体に通路底部１３７を有し、この通路底部１３７の下流側の出口通路となる部分で前記機構板１１８の樋部１２６の隔壁１２５に添って張り出させると共に外面壁部の出口通路となる内側部分で通路底部１３７を曲折させる曲折案内壁１３８と段面部１３９を設けた外面樋部材１４０を形成し、樋部１２６の隔壁１２５と中間樋部材１３０の中間壁部１２９と外面樋部材１４０の外面壁部１３６によって囲まれる第２の入賞球集合通路１２３ｂとを一体に形成する。また、前記中間樋部材１３０には、隔壁１２９の内側に傾斜段面部１３１を設け、隔壁１２９の近傍の上流側に樋部１２６の側へ傾斜する棚板１３２が設けられる。
【００２０】
【発明の効果】
本発明は上記のような構成であるから次のような効果を奏する。
請求項１の入賞球集合部は、機構板に一体に形成する樋部の通路底部は樋部材の通路底部と合体してパチンコ球の直径の２倍以上の幅間隔を有する拡大された第１入賞球集合通路を確保し、変動入賞装置から落下する大量の入賞球の受入れが可能となり、大量の入賞球が重なり合う比率が小さくなって球詰まりの発生率を減少する。また、第２入賞球集合通路も比較的入賞率の低い入賞球の十分な収容空間を確保する。このように、限られた空間に大量の入賞球の収容を可能にした第１入賞球集合通路を確保した入賞球集合部を提供する。
【００２１】
請求項２の入賞球集合部は、機構板に一体に形成する樋部の通路底部と中間樋部材の通路底部とが合体して２倍弱に拡大された第１入賞球集合通路を確保し、変動入賞装置から落下する大量の入賞球の受入れが可能となり、しかも、大量の入賞球が重なり合う比率が小さくなって球詰まりの発生率を減少する。また、中間樋部材と外面樋部材によって囲まれた第２入賞球集合通路も比較的入賞率の低い入賞球の十分な収容空間を確保する。このように、限られた空間に大量の入賞球の収容を可能にした第１入賞球集合通路を確保した入賞球集合部を提供する。
【図面の簡単な説明】
【図１】パチンコ機の正面図である。
【図２】パチンコ機の裏面図である。
【図３】パチンコ機の遊技盤の裏面に設けた入賞球集合カバ−の正面図である。
【図４】本発明のパチンコ機の機構板に設けた入賞球集合部の斜視図である。
【図５】本発明のパチンコ機の機構板に設けた入賞球集合部の分解斜視図である。
【図６】本発明のパチンコ機の機構板に設けた入賞球集合部を形成する樋部材を内面から示す斜視図である。
【図７】本発明のパチンコ機の機構板に設けた入賞球集合部の横断平面図である。
【図８】図７のＡ−Ａ断面図である。
【図９】図７のＢ−Ｂ断面図である。
【図１０】本発明のパチンコ機の機構板に設けた他の入賞球集合部の斜視図である。
【図１１】本発明のパチンコ機の機構板に設けた他の入賞球集合部を分解して示す斜視図である。
【図１２】本発明のパチンコ機の機構板に設けた他の入賞球集合部を形成する中間樋部材と外面樋部材を組み立てて内側面から示す斜視図である。
【図１３】本発明のパチンコ機の機構板に設けた他の入賞球集合部を示す横断平面図である。
【図１４】図１２のＣ−Ｃ線断面図である。
【符号の説明】
９        遊技盤
１１      可変表示装置
１２      始動入賞口
１３      変動入賞装置
１４      通常入賞口
１８      機構板
２１      景品球払出装置
２３      入賞球集合部
２３ａ    第１入賞球集合通路
２３ｂ    第２入賞球集合通路
２４      通路底部
２５      隔壁
２６      樋部
２７      通路底部
２８      外面壁部
２９      隔壁
３０      樋部材
３１      傾斜段面部
３２      棚板
３３      第１入賞球集合通路の出口
３４      第２入賞球集合通路の出口
３５      入賞球処理装置
【図１】
0003558711.tif 000002
【図２】
0003558711.tif 000003
【図３】
0003558711.tif 000004
【図４】
0003558711.tif 000005
【図５】
0003558711.tif 000006
【図６】
0003558711.tif 000007
【図７】
0003558711.tif 000008
【図８】
0003558711.tif 000009
【図９】
0003558711.tif 000010
【図１０】
0003558711.tif 000011
【図１１】
0003558711.tif 000012
【図１２】
0003558711.tif 000013
【図１３】
0003558711.tif 000014
【図１４】
0003558711.tif 000015